(57)【要約】【課題】暗号化処理を一連の撮像シーケンスの外に出すことにより、撮影自体の高速化を図る。【解決手段】被写体を表す光学像を電気信号に変換する信号変換手段と、該電気信号を表す画像データを情報記録媒体に記録する情報記録手段とを有するデジタルカメラにおいて、該電気信号の暗号化を開始する暗号化開始指示手段と、暗号化処理の進行状況を監視する処理監視手段と、未暗号化画像ファイルを一括して暗号化処理を行う暗号化処理手段とを有する。【選択図】        図１
2004186813.tif 000002
【特許請求の範囲】
【請求項１】
被写体を表す光学像を電気信号に変換する信号変換手段と、該電気信号を表す画像データを情報記録媒体に記録する情報記録手段とを有するデジタルカメラにおいて、
該電気信号の暗号化を開始する暗号化開始指示手段と、
暗号化処理の進行状況を監視する処理監視手段と、
未暗号化画像ファイルを一括して暗号化処理を行う暗号化処理手段とを有することを特徴とするデジタルカメラ。
【請求項２】
前記暗号化開始指示手段は、前記デジタルカメラの電源を切る際に、暗号化の開始を指示することを特徴とする請求項１記載のデジタルカメラ。
【請求項３】
前記暗号化処理手段のキャンセル指示を行う暗号化取消指示手段と、
前記キャンセル指示が行われた際に、暗号化処理をキャンセルする暗号化取消手段とを有することを特徴とする請求項１記載のデジタルカメラ。
【請求項４】
前記暗号化取消指示手段は、前記デジタルカメラの電源を入れる際に、暗号化処理のキャンセル指示を行うことを特徴とする請求項３記載のデジタルカメラ。
【請求項５】
画像ファイルの再生表示時に、暗号化実施済みのアイコンを画像表示データに重ねて表示する手段を有することを特徴とする請求項１記載のデジタルカメラ。
【請求項６】
画像ファイルの再生表示時に、該画像ファイルが暗号化実施済みであるか判定する判定手段と、
暗号化実施済みであることを示す表示手段と、
パスワードを登録する手段と、
再生表示時に前記パスワードを入力する手段と、
前記パスワード入力の際は、暗号化実施済み画像ファイルを複合化して表示可能とする手段と、
前記パスワード入力の有効期間をあらかじめ登録する手段とを有することを特徴とする請求項１記載のデジタルカメラ。
【請求項７】
前記暗号化開始指示手段は、撮影ごとの暗号化する手段と、一括して暗号化する手段とをあらかじめ選択できる暗号化選択手段とを有することを特徴とする請求項１記載のデジタルカメラ。
【請求項８】
未暗号化画像ファイルは、前記パスワード入力無しに再生表示する手段を有することを特徴とする請求項６記載のデジタルカメラ。
【発明の詳細な説明】
【０００１】
【発明の属する技術分野】
本発明は、撮影した画像データを暗号化する手段を有するデジタルカメラに関する。
【０００２】
【従来の技術】
従来、ＣＣＤ等により、光を電気信号に変換し、該電気信号をデジタル信号に変換してフラッシュメモリ等の記録媒体に記録するデジタルカメラが開示されている。デジタルカメラを用いると、パソコン等を用いて画像の保存や様々な加工を個人で手軽に行うことができるほか、プリンタで出力することによりフィルムの現像をすることなしに写真を印刷することができる。
【０００３】
撮影した画像データの同一性や機密性を担保するために、画像データを暗号化して記憶する技術が提案されている。デジタルカメラで撮影してメモリに記録した画像データは、編集・加工が容易であるので、オリジナルの画像データと加工された画像データを区別するのが困難であるという問題があった。
【０００４】
上記問題を解決するために、特許文献１は、画像データの改竄防止を目的とした暗号化手段を用いたデジタルカメラを提供する技術が開示されている。また、特許文献２は、公開鍵暗号方式を用いたもので、より画像データの証拠性、証明性を高めたデジタルカメラを提供する技術が開示されている。また、特許文献３は、デジタルカメラでの再生表示時にパスワード入力によるセキュリティを付加し、第三者からの再生表示を禁止する技術が開示されている。また、特許文献４は、デジタルカメラでの撮影画像データを暗号化する技術が開示されている。
【０００５】
【特許文献１】
特開平１１−２１５４５２号公報
【特許文献２】
特開平１１−２２０６８６号公報
【特許文献３】
特開２０００−１２５２３７号公報
【特許文献４】
特開２０００−２９９８４７号公報
【０００６】
【発明が解決しようとする課題】
しかし、従来のデジタルカメラでは、画像データのセキュリティーを高める技術は多数開示されているが、それによって処理負荷が大きくなる問題に対する解決策が不十分であった。
【０００７】
また、画像データの暗号化は、データ量が多いため、処理負荷が大きく、また、撮影した画像データは、Ｅｘｉｆファイル化時間にプラスして暗号化処理時間が付加されるため、連続した撮影ができないという問題があった。
【０００８】
本発明は、上記事情に鑑みてなされたものであり、暗号化処理を一連の撮像シーケンスの外に出すことにより、撮影自体の高速化を図ることを目的とする。
【０００９】
また、暗号化処理を一連のカメラ操作シーケンスの中で行うことで、ユーザに違和感を持たせることを防ぐことを目的とする。
【００１０】
また、暗号化処理中に撮影する必要が発生した場合など、簡単な操作でキャンセルできるようにすることを目的とする。
【００１１】
また、暗号化処理の終了／未了をユーザが視覚的判断できるようにすることを目的とする。
【００１２】
また、アイコンの重ね合わせ表示でなく、画像ファイル自体の表示を別の表示（黒画面に×点表示など）に置き換えることにより、第三者が容易に見えることを防ぐことを目的とする。
【００１３】
また、暗号化処理をどの時点で行うか、あらかじめ登録できるようにして、ユーザの所望する使用方法を実現できるようにすることを目的とする。
【００１４】
【課題を解決するための手段】
上記目的を達成するために、請求項１記載の発明は、被写体を表す光学像を電気信号に変換する信号変換手段と、該電気信号を表す画像データを情報記録媒体に記録する情報記録手段とを有するデジタルカメラにおいて、該電気信号の暗号化を開始する暗号化開始指示手段と、暗号化処理の進行状況を監視する処理監視手段と、未暗号化画像ファイルを一括して暗号化処理を行う暗号化処理手段とを有することを特徴としている。
【００１５】
請求項２記載の発明は、請求項１記載の発明において、前記暗号化開始指示手段は、前記デジタルカメラの電源を切る際に、暗号化の開始を指示することを特徴としている。
【００１６】
請求項３記載の発明は、請求項１記載の発明において、前記暗号化処理手段のキャンセル指示を行う暗号化取消指示手段と、前記キャンセル指示が行われた際に、暗号化処理をキャンセルする暗号化取消手段とを有することを特徴としている。
【００１７】
請求項４記載の発明は、請求項３記載の発明において、前記暗号化取消指示手段は、前記デジタルカメラの電源を入れる際に、暗号化処理のキャンセル指示を行うことを特徴としている。
【００１８】
請求項５記載の発明は、請求項１記載の発明において、画像ファイルの再生表示時に、暗号化実施済みのアイコンを画像表示データに重ねて表示する手段を有することを特徴としている。
【００１９】
請求項６記載の発明は、請求項１記載の発明において、画像ファイルの再生表示時に、該画像ファイルが暗号化実施済みであるか判定する判定手段と、暗号化実施済みであることを示す表示手段と、パスワードを登録する手段と、再生表示時に前記パスワードを入力する手段と、前記パスワード入力の際は、暗号化実施済み画像ファイルを複合化して表示可能とする手段と、前記パスワード入力の有効期間をあらかじめ登録する手段とを有することを特徴としている。
【００２０】
請求項７記載の発明は、請求項１記載の発明において、前記暗号化開始指示手段は、撮影ごとの暗号化する手段と、一括して暗号化する手段とをあらかじめ選択できる暗号化選択手段とを有することを特徴としている。
【００２１】
請求項８記載の発明は、請求項６記載の発明において、未暗号化画像ファイルは、前記パスワード入力無しに再生表示する手段を有することを特徴としている。
【００２２】
【発明の実施の形態】
以下、本発明の実施の形態を添付図面を参照しながら詳細に説明する。
【００２３】
図１は、本発明のデジタルカメラの一実施例を示すブロック図である。図１は、デジタルカメラ１と、操作卓２と、表示装置３と、撮像装置４と、外部記憶装置５と、通信装置６と、全体制御装置７と、ＣＰＵ８と、ＲＯＭ９と、ＲＡＭ１０と、Ｉ／Ｏポート１１と、バスライン１２とを有し構成されている。
【００２４】
デジタルカメラ１は、情報を記憶するフラッシュメモリなどの外部記憶装置５と、ＣＣＤ、ＡＤ変換器など画像情報の入力部である撮像装置４と、各種情報の表示装置３と、外部からの入力を行う操作卓２と、ＬＡＮなどのネットワークと接続するための通信装置６と、デジタルカメラ全体を制御する全体制御装置７を有する。尚、全体制御装置７は、ＣＰＵ８と、ＲＯＭ９と、ＲＡＭ１０と、入出力ポート１１（Ｉ／Ｏポート）と、これらを結ぶバスライン１２とからなる周知のマイクロコンピュータにより構成されている。
【００２５】
＜実施例１＞
図２は、実施例１の処理手順を示すフローチャートである。操作卓２より暗号化開始操作が入力されると（ステップ２１でＹｅｓ）、暗号化未実施の画像ファイルを検索する。暗号化未実施の画像ファイルがあると（ステップＳ２２でＹｅｓ）、画像ファイルに対して暗号化処理を行う（ステップＳ２３）。全ての画像ファイルの暗号化が終了することで（ステップＳ２２でＮｏ）、本処理は終了する。暗号化処理については、対象鍵暗号方式、公開鍵暗号方式で代表される、様々な暗号方式がある。ソフトウエア的に暗号化を行う方法もあれば、ハード的に暗号化回路を組み込み高速に暗号化を行う方法もある。本実施例では特に暗号化方式を特定しない。業務向けに複雑な暗号化が必須の場合もあれば、パスワード付き圧縮ソフトｌｚｈファイル程度で良い場合もある。暗号化のレベルはその時々で最適なものが選ばれるだろう。
【００２６】
＜実施例２＞
図３は、実施例２の処理手順を示すフローチャートである。操作卓２より電源ＯＦＦ操作が入力されると（ステップＳ３１でＹｅｓ）、暗号化未実施の画像ファイルを検索する。暗号化未実施の画像ファイルがあると（ステップＳ３２でＹｅｓ）、画像ファイルに対して暗号化処理を行う（ステップＳ３３）。全ての画像ファイルの暗号化が終了することで（ステップＳ３２でＮｏ）、デジタルカメラ本体の電源ＯＦＦ処理を行い、電源が切れる。暗号化処理中には、ＬＥＤランプの点灯や、ＬＣＤにて暗号化中である旨を表示する方法も考えられる。逆に、外見上は電源ＯＦＦ状態で内部的に暗号化処理を行うことも考えられる。このような表示時の展開は、そのカメラの使われ方や、コンセプトに応じて操作フローが決定されるだろう。
【００２７】
＜実施例３＞
図４は、実施例３の処理手順を示すフローチャートである。操作卓２より暗号化開始操作が入力されると（ステップＳ４１でＹｅｓ）、暗号化キャンセル操作があるか判定する（ステップＳ４２）。キャンセル操作がなければ（ステップＳ４２でＮｏ）、暗号化未実施の画像ファイルを検索する（ステップＳ４３）。暗号化未実施の画像ファイルがあると（ステップＳ４３でＹｅｓ）、画像ファイルに対して暗号化処理を行う（ステップＳ４４）。全ての画像ファイルの暗号化が終了することで（ステップＳ４３でＮｏ）、本処理は終了する。また、キャンセル操作があった場合（ステップＳ４２でＹｅｓ）も同様に本処理は終了する。ステップＳ４２で示されるキャンセル操作のチェックロジックは、ステップＳ４４の暗号化処理内部に組み込む実施例も考えられる。特に暗号化処理に時間がかかる場合、暗号化処理過程の要所要所でチェックロジックを組み込み、キャンセル操作があれば直ぐに暗号化を中止し、処理を強制終了させる。
【００２８】
＜実施例４＞
図５は、実施例４の処理手順を示すフローチャートである。本実施例では、実施例３と同様で、判定ロジックのステップＳ４１とステップＳ４２をそれぞれステップＳ５１とステップＳ５２に変更している。操作卓２より電源ｏｆｆ操作が入力されると（ステップＳ５１でＹｅｓ）、操作卓２より電源ｏｎ操作があるか判定する（ステップＳ５２）。電源ｏｎ操作がなければ（ステップＳ５２でＮｏ）、暗号化未実施の画像ファイルを検索する（ステップＳ５３）。暗号化未実施の画像ファイルがあると（ステップＳ５３でＹｅｓ）、画像ファイルに対して暗号化処理を行う（ステップＳ５４）。全ての画像ファイルの暗号化が終了することで（ステップＳ５３でＮｏ）、本処理は終了する。また、電源ｏｎ操作があった場合（ステップＳ５２でＹｅｓ）も同様に本処理は終了する。ステップＳ５２で示されるキャンセル電源ｏｎ操作のチェックロジックは、ステップＳ５４の暗号化処理内部に組み込む実施例も考えられる。特に暗号化処理に時間がかかる場合、暗号化処理過程の要所要所でチェックロジックを組み込み、電源ｏｎ操作があれば直ぐに暗号化を中止し、処理を強制終了させる。
【００２９】
＜実施例５＞
図６は、実施例５の処理手順を示すフローチャートである。操作的または、内部処理的に再生表示要求があると（ステップＳ６１でＹｅｓ）、まず、記憶装置に格納されている画像ファイルが暗号化済みか否かの判定を行う（ステップＳ６２）。判定方法としては、未暗号化ファイルの拡張子をｊｐｇとし、暗号化済みファイルの拡張子をｓｅｃにするなどファイル名で判定できる方法や、ファイルのヘッダー部分に暗号化フラグを用意し、暗号化終了／未了をフラグで設定する方法などが考えられる。暗号化済みファイルであれば（ステップＳ６２でＹｅｓ）、重ね合わせようの暗号化アイコンを表示装置上に用意しておく。暗号化アイコンは鍵の形をしたものなど、判りやすいアイコンを用意しておく（ステップＳ６３）。暗号化ファイルを複合化して元の画像ファイルに変換する（ステップＳ６４）。画像ファイルへの変換は、メモリ上に展開するのみで、元の外部記憶装置には展開しないなど、セキュリティに応じた処理を追加することも考えられる。この場合は、再生が終わればメモリから消去されるので、セキュリティ上も問題がない。画像ファイル情報を表示装置に表示する（ステップＳ６５）。続けて表示する要求とファイルがあるかの判定を行い（ステップＳ６６）、ファイルがあれば（ステップＳ６６でＹｅｓ）、ステップＳ６２からの処理を繰り返す。なければそのまま終了する。この判定処理は、例えば、１画面に複数枚のサムネイル画像を一覧で表示する場合などが考えられる。１画面に１枚の画面表示であれば、この判定ロジックは不要である。更に、連続した再生を高速化するために、画像ファイルを表示装置から取り出している間に、次の暗号化ファイルを先読みしておき、複合化処理も先に進める処理も考えられる。また、１つ前の画像データはバッファリングしておき、再生表示で１画面戻した操作を行われたときなど、複合化処理を再度行うことなく、バッファリング中の画像を再生表示するなど、様々な高速化再生処理が考えられる。
【００３０】
＜実施例６＞
図７は、実施例６の処理手順を示すフローチャートである。操作的または、内部処理的に再生表示要求があると（ステップＳ７１でＹｅｓ）、まず、記憶装置に格納されている画像ファイルが暗号化済みか否かの判定を行う（ステップＳ７２）。暗号化済みファイルであれば（ステップＳ７２でＹｅｓ）、正常なパスワードが入力されているかの判定を行う（ステップＳ７３）。正常なパスワード入力がある場合（ステップＳ７３でＹｅｓ）、暗号化ファイルを複合化して元の画像ファイルに変換する（ステップＳ７４）。画像ファイル情報を表示装置に表示する（ステップＳ７５）。暗号化ファイルでない場合（ステップＳ７２でＮｏ）、その画像ファイルはそのまま表示装置で表示される（ステップＳ７５）。このケースは、電源ＯＮから電源ＯＦＦの間で撮影して再生表示する場合などに発生する。撮影している人が再生すると考えられる以上、暗号化処理や複合化処理などの不要な処理が省けるため高速化に寄与する。実施例２で示した特徴は、この部分にも表すことが可能で、暗号化処理を電源ＯＦＦ時に行うことで、再生時の処理もセキュリティを保ったまま高速化が可能となる。正常なパスワード入力が無い場合（ステップＳ７３でＮｏ）、セキュリティ上画像は表示できないので、固定画像を表示することとなる（ステップＳ７６）。また、ステップＳ７６の前にパスワード入力画面を表示させる方法も考えられる。次に、続けて表示する要求とファイルがあるかの判定を行い（ステップＳ７７）、ファイルがあれば（ステップＳ７７でＹｅｓ）、ステップＳ７２からの処理を繰り返す。パスワードの登録は、ｓｅｔｕｐ画面など、あらかじめカメラに設定することとなる。パスワードの入力操作については、上記で示した再生途中でパスワード入力を促す方法や、７１と７２の間で促す方法や、電源ＯＮした際に促す方法など、様々な操作方法が考えられるが、これは、そのカメラの使用方法やコンセプトに従って決められることになる。パスワードの入力を度々行うことは操作性のダウンに繋がるため、電源ＯＦＦまで有効となるなど、パスワードの有効期間をあらかじめ登録することを可能としておく。有効期間については、パスワード入力時点からの時間経過を測定して、ある一定時間が立つと、無効にするなどの方法もある。
【００３１】
＜実施例７＞
ｓｅｔｕｐ画面など、「撮影毎暗号化」と、「一括して暗号化」を、あらかじめカメラに設定できるようにしておく。実施例１〜６までは一括して暗号化を選んだ場合の実施例であり、本発明の特徴でもある。撮影毎暗号化は、文字通り、シャッターを押して撮影する毎に、Ｅｘｉｆ形式での静止画ファイル化の後、暗号化処理を行う方法であり過去の暗号化技術の方法でもある。両者を選択してどちらでも使用できるようにしたことを特徴とするのが、本実施例となる。
【００３２】
【発明の効果】
以上の説明から明らかなように、本発明によれば、暗号化により他人に見られない画像データファイルを作成する事が可能で、かつ、通常の撮影に影響を与えることなく暗号化を行うことができる。
【００３３】
また、本発明によれば、電源ＯＦＦ操作により撮影が終了した時点で画像ファイルの暗号化を行うので、一連の撮影／再生処理の負荷に影響を与えない暗号化処理を可能とすることができる。
【００３４】
また、本発明によれば、電源ＯＮ操作により暗号化処理のキャンセルを行うので、一連の撮影／再生処理の負荷に影響を与えない暗号化処理を可能とすることができる。
【００３５】
また、本発明によれば、暗号化処理の終了／未了をユーザが視覚的判断することができる。
【００３６】
また、本発明によれば、第三者に画像を盗み見されることを防ぐことができる。
【００３７】
また、本発明によれば、電源ＯＮ〜ＯＦＦの間は暗号化されていないので、撮影中の再生表示はパスワード入力など操作不要のため、操作性を向上させることができる。
【図面の簡単な説明】
【図１】本発明のデジタルカメラの一実施例を示すブロック図である。
【図２】実施例１の暗号化処理の処理手順を示すフローチャートである。
【図３】実施例２のデジタルカメラの電源を切る際に暗号化処理を行う際の処理手順を示すフローチャートである。
【図４】実施例３の暗号化処理をキャンセル操作する際の処理手順を示すフローチャートである。
【図５】実施例４の電源を入れる際に暗号化処理のキャンセル操作を行う際の処理手順を示すフローチャートである。
【図６】実施例５の暗号化実施済みのアイコンを表示する際の処理手順を示すフローチャートである。
【図７】実施例６のパスワードを使用する際の処理手順を示すフローチャートである。
【符号の説明】
１  デジタルカメラ
２  操作卓
３  表示装置
４  撮像装置
５  外部記憶装置
６  通信装置
７  全体制御装置
８  ＣＰＵ
９  ＲＯＭ
１０  ＲＡＭ
１１  Ｉ／Ｏポート
１２  バスライン
【図１】
2004186813.tif 000003
【図２】
2004186813.tif 000004
【図３】
2004186813.tif 000005
【図４】
2004186813.tif 000006
【図５】
2004186813.tif 000007
【図６】
2004186813.tif 000008
【図７】
2004186813.tif 000009